(57)【要約】【課題】  本発明の課題は、１つの装置によって、酸性電解水だけでなく、アルカリ性電解水も利用して消毒又は洗浄することができ、手先等の身体の一部に限らず、消毒や洗浄する箇所にあわせて効率的に消毒を行うことができる消毒装置を提供することを目的とする。【解決手段】  本発明の消毒装置によれば、電解槽２０を備えることで、１つの装置で酸性電解水とアルカリ性電解水を生成することができる。その酸性電解水又はアルカリ性電解水は、消毒や洗浄する箇所にあわせて生成した電解水を出水させることができ、効率的に消毒及び洗浄を行うことができる。【選択図】図２
2007014888.tif 000002
【特許請求の範囲】
【請求項１】
原水を電解することで生成した酸性又はアルカリ性の電解水を使用して消毒を行う消毒装置であって、
前記原水から電解によって酸性電解水及びアルカリ性電解水を生成する電解槽と、
前記電解槽に前記原水を供給する供給手段と、
前記電解槽で生成した前記酸性電解水を上方に向かって出水する酸性水上方出水手段と、
前記電解槽で生成した前記酸性電解水を下方に向かって出水する酸性水下方出水手段と、
前記電解槽で生成した前記アルカリ性電解水を上方に向かって出水するアルカリ性水上方出水手段と、
前記電解槽で生成した前記アルカリ性電解水を下方に向かって出水するアルカリ性水下方出水手段とを有することを特徴とする消毒装置。
【請求項２】
前記酸性水上方出水手段及び前記アルカリ性水上方出水手段は、共通の上方出水口を有するとともに、前記酸性電解水の出水量と前記アルカリ性電解水の出水量とをそれぞれ制御し、前記上方出水口から前記電解水を出水することを特徴とする請求項１記載の消毒装置。
【請求項３】
前記酸性水下方出水手段及び前記アルカリ性水下方出水手段は、共通の下方出水口を有するとともに、前記酸性電解水の出水量と前記アルカリ性電解水の出水量とをそれぞれ制御し、前記下方出水口から前記電解水を出水することを特徴とする請求項１記載の消毒装置。
【請求項４】
前記酸性水上方出水手段と、前記酸性水下方出水手段と、前記アルカリ性水上方出水手段と、前記アルカリ性水下方出水手段とは、それぞれ異なる出水口を有することを特徴とする請求項１記載の消毒装置。
【請求項５】
前記酸性水上方出水手段と、前記酸性水下方出水手段と、前記アルカリ性水上方出水手段と、前記アルカリ性水下方出水手段とは、前記酸性電解水、前記アルカリ性電解水を噴霧するように出水させることを特徴とする請求項１記載の消毒装置。
【請求項６】
前記電解槽で生成された前記酸性電解水を貯蔵する酸性水貯蔵部と、
前記電解槽で生成された前記アルカリ性電解水を貯蔵するアルカリ性水貯蔵部とを有し、
前記酸性水貯蔵部は、貯蔵されている前記酸性電解水を前記酸性水上方出水手段及び前記酸性水下方出水手段に供給し、
前記アルカリ性水貯蔵部は、貯蔵されている前記アルカリ性電解水を前記アルカリ性水上方出水手段及び前記アルカリ性水下方出水手段に供給することを特徴とする請求項１記載の消毒装置。
【請求項７】
前記酸性電解水と前記アルカリ性電解水とを混合する混合部を有し、
前記混合部は、前記酸性電解水又は前記アルカリ性電解水の水素イオン濃度を調製することを特徴とする請求項１記載の消毒装置。
【請求項８】
水素イオン濃度が調製された前記酸性電解水、又は、水素イオン濃度が調製された前記アルカリ性電解水は、第２出水手段から出水されることを特徴とする請求項７記載の消毒装置。
【発明の詳細な説明】
【技術分野】
【０００１】
本発明は、原水を電解することで生成する酸性電解水とアルカリ性電解水とを出水し、この酸性電解水又はアルカリ性電解水によって消毒及び洗浄を行う消毒装置に関するものである。
【背景技術】
【０００２】
病院や食品工場等で、細菌等の繁殖を防止し、病気や食中毒を防止するために細菌やカビ胞子を除去した無菌室が利用されている。この無菌室には、一般的に、手や身体に付着した細菌やカビ胞子等を除去してから入室される。このとき、細菌やカビ胞子を除去するためにアルコールや強酸性水などの消毒薬が利用されている。
【０００３】
そこで、強酸性水を噴霧して手等を消毒する消毒装置が提供されている（例えば、特許文献１参照）。この消毒装置は、強酸性水を貯蔵するタンクと、強酸性水を噴霧する噴霧口と、噴霧された強酸性水を受け取る雫受皿とを有し、噴霧口と雫受皿との間に手先等の消毒部を入れることで強酸性水が自動的に噴霧する装置である。この装置は、強酸性水によって手先等の消毒を行うことができる。
【０００４】
【特許文献１】特許第３６３８９１２号明細書
【発明の開示】
【発明が解決しようとする課題】
【０００５】
近年、極めて微量であっても毒性の強い細菌や、従来の強酸性水では殺菌できない酸に耐性を有する細菌等が発見されている。そのため、無菌室には、従来以上に細菌やカビ胞子等を少なくすることが求められている。そして、細菌の繁殖を防止する必要がある。
【０００６】
そこで、本発明は、１つの装置によって酸性水だけでなくアルカリ性水も利用して消毒及び洗浄を行うことができ、手先等の身体の一部に限らず消毒する箇所にあわせて効率的に消毒及び洗浄を行うことができる消毒装置を提供することを目的とする。
【課題を解決するための手段】
【０００７】
本発明の消毒装置は、原水を電解することで生成した酸性又はアルカリ性の電解水を使用して消毒を行う消毒装置であって、前記原水から電解によって酸性電解水及びアルカリ性電解水を生成する電解槽と、前記電解槽に前記原水を供給する供給手段と、前記電解槽で生成した前記酸性電解水を上方に向かって出水する酸性水上方出水手段と、前記電解槽で生成した前記酸性電解水を下方に向かって出水する酸性水下方出水手段と、前記電解槽で生成した前記アルカリ性電解水を上方に向かって出水するアルカリ性水上方出水手段と、前記電解槽で生成した前記アルカリ性電解水を下方に向かって出水するアルカリ性水下方出水手段とを有することを特徴とする。
【０００８】
本発明の消毒装置によれば、電解槽を備えることで、１つの装置で酸性電解水とアルカリ性電解水を生成することができる。その酸性電解水又はアルカリ性電解水は、消毒する箇所にあわせて生成した電解水を出水させることができ、効率的に消毒及び洗浄を行うことができる。
【０００９】
本発明の消毒装置において、前記酸性水上方出水手段及び前記アルカリ性水上方出水手段は、共通の上方出水口を有するとともに、前記酸性電解水の出水量と前記アルカリ性電解水の出水量とをそれぞれ制御し、前記上方出水口から前記電解水を出水することを特徴とする。また、本発明の消毒装置において、前記酸性水下方出水手段及び前記アルカリ性水下方出水手段は、共通の下方出水口を有するとともに、前記酸性電解水の出水量と前記アルカリ性電解水の出水量とをそれぞれ制御し、前記下方出水口から前記電解水を出水することを特徴とする。これにより、出水口を複数供えなくても、酸性電解水とアルカリ性電解水を使い分けることができる。そして、装置内部の機構が簡素化され、より小型の装置を提供することができる。
【００１０】
また、本発明の消毒装置において、前記酸性水上方出水手段と、前記酸性水下方出水手段と、前記アルカリ性水上方出水手段と、前記アルカリ性水下方出水手段とは、それぞれ異なる出水口を有することを特徴とする。これにより、電解槽で生成した酸性電解水とアルカリ性電解水とを装置外に出水するまで混合されることがなく、その水素イオン濃度を保つことができる。すなわち、細菌への殺菌力や有機物への洗浄力を保持したまま酸性電解水又はアルカリ性電解水を出水することができる。
【００１１】
さらに、本発明の消毒装置において、前記酸性水上方出水手段と、前記酸性水下方出水手段と、前記アルカリ性水上方出水手段と、前記アルカリ性水下方出水手段とは、前記酸性電解水、前記アルカリ性電解水を噴霧するように出水させることを特徴とする。これにより、酸性電解水又はアルカリ性電解水を消毒及び洗浄を行う箇所に均一に付着させることができ、より効率的に消毒及び洗浄を行うことができる。
【００１２】
またさらに、本発明の消毒装置において、前記電解槽で生成された前記酸性電解水を貯蔵する酸性水貯蔵部と、前記電解槽で生成された前記アルカリ性電解水を貯蔵するアルカリ性水貯蔵部とを有し、前記酸性水貯蔵部は、貯蔵されている前記酸性電解水を前記酸性水上方出水手段及び前記酸性水下方出水手段に供給し、前記アルカリ性水貯蔵部は、貯蔵されている前記アルカリ性電解水を前記アルカリ性水上方出水手段及び前記アルカリ性水下方出水手段に供給することを特徴とする。これにより、生成した酸性電解水又はアルカリ性電解水を貯めておくことができる。そのため、消毒及び洗浄を必要とする際に原水の電解を待つことなく酸性電解水又はアルカリ性電解水を使用することができる。
【００１３】
また、本発明の消毒装置において、前記酸性電解水と前記アルカリ性電解水とを混合する混合部を有し、前記混合部は、前記酸性電解水又は前記アルカリ性電解水の水素イオン濃度を調製することができることを特徴とする。これにより、酸性電解水及びアルカリ性電解水を対象とする細菌や汚染物に適する水素イオン濃度に調整を行うことができる。
【００１４】
さらに、本発明の消毒装置において、水素イオン濃度が調製された前記酸性電解水、又は、水素イオン濃度が調製された前記アルカリ性電解水は、第２出水手段から出水されることを特徴とする。これにより、水素イオン濃度が調製された酸性電解水やアルカリ性電解水に原水によって水素イオン濃度が調製されていない酸性電解水やアルカリ性電解水を混ぜることなく出水することができる。例えば、この消毒装置で生成したアルカリ性電解水は、原水によって水素イオン濃度を低くして弱アルカリ性の水とすることで、飲料水としても利用することができる。また、この飲料水に水素イオン濃度が調製されていないアルカリ性電解水が入り込むことを防ぐことができる。
【発明の効果】
【００１５】
本発明の消毒装置によれば、電解槽を備えることで、１つの装置で酸性電解水とアルカリ性電解水を生成することができる。その酸性電解水又はアルカリ性電解水は、消毒する箇所にあわせて生成した電解水を出水させることができ、効率的に消毒及び洗浄を行うことができる。
【発明を実施するための最良の形態】
【００１６】
以下、本発明の消毒装置について図面を参照しながら詳細に説明する。
【００１７】
［実施の形態１］
実施の形態１で説明する消毒装置の外観形状は、図１のように、基体１０１の上方に鍵型の支柱１０２と、装置下方に向かって出水される電解水を受け取る受皿体１０８とを備えている。この支柱１０２には、装置下方に向かって電解水を出水する下記で説明する下方出水口４０を有するカバー体１１１と、装置上方に向かって電解水を出水する上方出水口３０と、電解水を所定の出水口から出水させるように装置を制御するスイッチ群１０３とを有している。
【００１８】
基体１０１及び支柱１０２の内部には、下記で説明するように、原水を電解槽２０に供給する供給部１０、原水を電解する電解槽２０、生成した電解水を出水する出水手段である出水口等を備え、各部材を接続する配管等で形成された流路を有している。また、この基体１０１には、装置を駆動させるための通電コードが形成され、この通電コードを介して電源と電気的に接続させることで、電解槽２０での電解反応や、装置内のポンプやバルブ等を動かすことができるようになる。
【００１９】
受皿体１０８は、中心に穴を有し、縁から穴に向かって傾斜するように形成された皿状の部材で、基体１０１に備えられている。この受皿体１０８は、下方出水口４０から出水した電解水を受け取り、中心の穴からパイプ等を通じて基体１０１内の図示されない廃液タンクに集められる。この廃液タンクは、着脱自在に基体１０１内部に装着されており、集められた電解水を適宜捨てることができる。
【００２０】
カバー体１１１は、内部に装置下方に向かって電解水を出水する下方出水口４０を有し、この下方出水口４０の周囲を囲うような形状である。このカバー体１１１は、受皿体１０８の上方に離間するように支柱１０２に備えられている。この下方出水口４０は、支柱１０２の内部の図示されない下記で説明する電解槽２０と接続されている。この下方出水口４０は、下記で説明するように、複数の穴があけられ、電解水を噴霧するように形成されていてもよい。また、このカバー体１１１は、この下方出水口４０を囲うように形成され、下方出水口４０から出水される電解水の出水範囲を限定することができる。
【００２１】
このカバー体１１１には、離間して配されている受皿体１０８との間に、消毒又は洗浄する箇所を挿入した際に、それを感知するセンサーを備えていてもよい。このセンサーが消毒又は洗浄する箇所がカバー体１１１の下方に挿入されたことを感知して、所定量の電解水を出水させることもできる。これにより、装置に触れずして所定箇所の消毒又は洗浄を行うことができる。
【００２２】
また、下方出水口４０からの出水後を感知して、消毒又は洗浄を行う所定箇所に付着した電解水を乾燥させる温風噴出部や、紫外線によって殺菌を行う紫外線照射部等を備え付けていてもよい。このように、電解水の出水後に自動的に温風や紫外線照射を行うことで、装置に触れずして消毒や洗浄を行うことができ、洗浄後に所定箇所を汚損することがない。
【００２３】
上方出水口３０は、装置上方に向かって電解水を出水するように支柱１０２に備えられている。この上方出水口は、支柱１０２の内部の図示されていない電解槽２０と接続され、電解槽２０で生成した電解水を装置上方に向かって出水することができる。この上方出水口３０は、スプレーノズルを設けたり、複数の穴を空けて所定の圧力で電解水を圧送したりして電解水を噴霧するように形成されていてもよい。
【００２４】
支柱１０２に備えられているスイッチ群１０３は、装置全体の制御を行う。このスイッチ群１０３に応じて装置内部のポンプの稼動やバルブの開け閉め等を制御し、所定の出水口から所定の電解水を出水する。
【００２５】
以下、本発明の消毒装置の内部機構について説明する。図２は、実施の形態１で説明する本発明の消毒装置の構成を示すブロック図である。本発明の消毒装置は、供給部１０と、電解槽２０と、上方出水口切替部３５と、酸性水上方出水手段とアルカリ性水上方出水手段との共通の出水口である上方出水口３０と、下方出水口切替部４５と、酸性水下方出水手段とアルカリ性水下方出水手段との共通の出水口である下方出水口４０とを有している。この消毒装置に原水を供給することで、酸性電解水及びアルカリ性電解水を生成し、出水することができる。
【００２６】
供給部１０は、酸性電解水及びアルカリ性電解水の生成に必要な原水を電解槽２０に供給する。この供給部１０は、ポンプやバルブ等で構成され、電解槽２０に配管等で接続されることで原水の流路が形成されている。したがって、必要に応じてポンプやバルブを制御することで、電解槽２０に供給する原水の量を調整することができる。供給部１０で電解槽２０に供給する原水は、タンク等の容器に貯蔵されて装置内に搭載されていても、例えば水道の蛇口のように装置外の原水を装置内に直接導入させていてもよい。
【００２７】
また、供給部１０と電解槽２０とを接続する配管の途中で電解質が添加されるように電解質添加部１５が備えられている。この電解質添加部１５によって電解質が原水に添加される。原水に電解質が添加されることで、電解槽２０における原水の電解が効率的に行われる。この添加される電解質としては、特に限定されるものではないが、例えば塩化ナトリウム、塩化カリウム、塩化カルシウムなどの塩等が挙げられる。この電解質の添加方法としては、特に限定するものではないが、原水の一部を電解質が備えられた電解質添加部１５に通過させたり、電解質をそのまま又は溶液として原水に加えたりして、電解質を原水に添加してもよい。
【００２８】
また、この原水は、原水中の不純物を取り除くために、供給部１０にフィルタや活性炭等を備えていてもよい。これにより、原水内の不純物が減少し、効率的に電解を行うことができる。また、この原水を使用して電解槽２０で生成した酸性電解水やアルカリ性電解水の水素イオン濃度を調節する際に不純物のこれら電解水への影響を少なくすることができる。さらに、水素イオン濃度が調製されたアルカリ性電解水を飲料水とする場合であっても、不純物による味や匂い等への影響を少なくすることができる。
【００２９】
電解槽２０は、隔膜２１を挟んで、陽極２２と、陰極２３とが対向するように配置されている。この陽極２２と陰極２３は、図示されていない電源装置に接続されている。この電解槽２０に供給部１０から電解質が添加された原水が供給されることで、原水の電解が起こり、陽極２２側に酸性電解水、陰極２３側にアルカリ性電解水が生成する。この隔膜２１は、例えば、電解槽２０内で発生するイオンを透過させるイオン交換膜を利用することができる。また、陽極２２及び陰極２３は、例えば、白金やチタン等の金属により形成され、白金チタンコーティングされた電極も使用することができる。
【００３０】
電解槽２０の陽極２２側には、発生した酸性電解水の流れる流路が例えば配管等により形成されている。この流路は、上方出水口切替部３５と下方出水口切替部４５とにそれぞれ酸性電解水を供給するように形成されていればどのような態様であってもよい。例えば、実施の形態１で説明する消毒装置では、上方出水口切替部３５や下方出水口切替部４５に到達する前に流路が二股に分かれている。
【００３１】
電解槽２０の陰極側２３も同様に、発生したアルカリ性電解水の流れる流路が配管等により形成されている。この流路は、上方出水口切替部３５と下方出水口切替部４５とにそれぞれアルカリ性電解水を供給するように形成されていればどのような態様であってもよい。これにより、電解槽２０で発生した酸性電解水とアルカリ性電解水は、混ざらずに上方出水口３０や下方出水口４０に供給される。
【００３２】
上方出水口切替部３５は、電解槽２０と上方出水口３０との間に設けられ、供給された酸性電解水又はアルカリ性電解水のうち、いずれか一方を上方出水口３０に供給するように切り替えることができる。例えば、図３のように、陽極２２側からの流路と陰極２３側からの流路が合流し、上方出水口に供給されるような流路が形成されている。そして、その合流点の上流側の陽極２２側からの流路及び陰極２３側からの流路それぞれにバルブ１、バルブ２が設けられている。このバルブ１及びバルブ２を開け閉めすることで上方出水口３０に供給させる電解水を切り替えることができる。また、水素イオン濃度を調節したい場合、このバルブ１及びバルブ２を制御することで、酸性電解水とアルカリ性電解水のそれぞれの流量を調節し、所要の水素イオン濃度とすることも可能である。
【００３３】
下方出水口切替部４５も上方出水口切替部３５と同様に、電解槽２０と下方出水口４０との間に設けられ、供給された酸性電解水又はアルカリ性電解水のうち、いずれか一方を下方出水口４０に供給するように切り替えることができる。この下方出水口切替部４５も例えば、上方出水口切替部３５と同様の形態とすることもできる。これにより、下方出水口４０から、酸性電解水又はアルカリ性電解水のいずれかを出水させることができる。また、水素イオン濃度も調節することができる。このように、上方出水口３０や下方出水口４０から出水する酸性電解水とアルカリ性電解水は、この切替部によって容易に切り替えが可能である。また、流路の形成も容易であり、装置内の構造が簡素化され、小型の装置として提供することもできる。
【００３４】
上方出水口３０は、酸性電解水又はアルカリ性電解水の出水口が装置上方に向かって設置されている。したがって、この上方出水口３０は、供給される酸性電解水又はアルカリ性電解水に例えばポンプなどでの圧力を加え、装置上方に向かって酸性電解水又はアルカリ性電解水を出水する。
【００３５】
この上方出水口３０は、供給された酸性電解水又はアルカリ性電解水を噴霧できるような形状となっていてもよい。例えば、上方出水口３０に小さい穴が複数も受けられ、この穴に向かって各電解水を圧送させることで、各電解水を噴霧することができる。また、スプレーノズルを設けてもよい。この場合、生成した電解水を装置上方に向かって噴霧することで、広範囲に電解水を出水することができ、例えば、全身の消毒や洗浄において効率的である。
【００３６】
下方出水口４０は、酸性電解水又はアルカリ性電解水の出水口が装置下方に向かって設置されている。したがって、この下方出水口４０は、供給される酸性電解水又はアルカリ性電解水に例えばポンプなどでの圧力を加え、装置下方に向かって酸性電解水又はアルカリ性電解水を出水する。
【００３７】
この下方出水口４０は、供給された酸性電解水又はアルカリ性電解水を噴霧できるような形状となっていてもよい。例えば、下方出水口４０に小さい穴が複数も受けられ、この穴に向かって各電解水を圧送させることで、各電解水を噴霧することができる。また、スプレーノズルを設けてもよい。このように、生成した電解水を装置下方に向かって噴霧することで、所定の領域に均一に電解水を出水することができ、手先等の特定の箇所を効率的に消毒又は洗浄を行うことができる。
【００３８】
このような構成の実施の形態１で説明する消毒装置は、図示されていない電源と電気的に接続することで、電解槽２０に原水を供給することで、酸性電解水とアルカリ性電解水とを調製することができる。まず、水等の原水を供給部１０の例えばポンプやバルブを作動させ、電解槽２０に供給する。このとき、ポンプやバルブ等によって流量等を調整することもできる。
【００３９】
また、原水が供給部１０から電解槽２０に供給される際、電解質添加部１５により電解質が原水に添加される。そして、電解質が添加された原水は、電解槽２０に流入する。電解槽２０は、電源と電気的に接続さており、隔膜２１を介して陽極２２側と陰極２３側とで、供給された原水の電解反応を行うことができる。
【００４０】
例えば、水に塩化ナトリウムを添加すると、陽極２２側では、水素イオン（Ｈ＋）が発生し、陰極２３では、水酸化物イオン（ＯＨ−）が発生する。したがって、陽極２２側では、酸性の電解水となり、陰極２３側では、アルカリ性の電解水となる。このように、電解槽２０による電解によって酸性電解水とアルカリ性電解水とを生成することができる。このとき、陽極２２側には、塩化ナトリウム由来の塩化物イオン（Ｃｌ−）によって次亜塩素酸も生成する。この酸性電解水は殺菌性に優れ、アルカリ性電解水はタンパク質をはじめとする有機物に対して高い洗浄効果を示す。
【００４１】
電解槽２０の陽極２２側で生成した酸性電解水は、陽極２２側に形成された流路を通じて、上方出水口切替部３５及び下方出水口切替部４５に供給される。同様に、電解槽２０の陰極２３側で生成したアルカリ性電解水は、陰極２３側に形成された流路を通じて、上方出水口切替部３５及び下方出水口切替部４５に供給される。そして、この上方出水口切替部３５と下方出水口切替部４５とを制御して各出水口から所要の電解水を噴霧させることができる。この電解水によって全身や所定箇所の消毒や洗浄を行う。
【００４２】
例えば、上方出水口切替部３５及び下方出水口切替部４５のそれぞれの酸性電解水とアルカリ性電解水の合流点上流側のバルブ１及びバルブ２の開け閉めによって各電解水の出水を切り替えることができる。この場合、上方出水口切替部３５のバルブ１のみを開けることで、上方出水口３０から酸性電解水を出水することができる。また、下方出水口切替部４５のバルブ２のみを開けることで、下方出水口４０からアルカリ性電解水を出水することができる。また、上方出水口３０及び下方出水口４０から同時に出水することもできる。
【００４３】
このように、電解槽２０に原水を供給することで、酸性電解水とアルカリ性電解水の両方を生成することができる。その酸性電解水又はアルカリ性電解水は、下方出水口又は上方出水口から選択的に出水させることができ、消毒や洗浄を行う箇所に応じて出水口を選択することで効率的となる。また、同時に出水させることでより効率的となる。
【００４４】
［実施の形態２］
実施の形態２で説明する本発明の消毒装置は、実施の形態１で説明した消毒装置の上方出水口と下方出水口とを酸性電解水専用とアルカリ性電解水専用との出水口を設けたものである。すなわち、図４のように、酸性電解水を上方に出水する酸性水上方出水手段である酸性水上方出水口５０と、酸性電解水を下方に出水する酸性水下方出水手段である酸性水下方出水口５１と、アルカリ性電解水を上方に出水するアルカリ性水上方出水手段であるアルカリ性水上方出水口５２と、アルカリ性電解水を下方に出水するアルカリ性水下方出水手段であるアルカリ性水下方出水口５３と、酸性電解水の出水口を切り替える酸性水切替部５５と、アルカリ性電解水の出水口を切り替えるアルカリ性水切替部５６とを備えている。その他の部材は、実施の形態１と同様であるため、同一の番号を付して説明を省略する。
【００４５】
また、実施の形態２で説明する消毒装置には、図１における上方出水口３０の代わりに、酸性水上方出水口５０とアルカリ性水上方出水口５２とを装置上方に出水口を向けるように支柱１０２に備えられ、下方出水口４０の代わりに、酸性水下方出水口５１とアルカリ性水下方出水口５３とを装置上方に出水口を向けるように支柱１０２に備えられている。
【００４６】
電解槽２０の陽極２２側には、生成した酸性電解水の流れる流路が例えば配管等により形成されている。この流路は、酸性水切替部５５に酸性電解水を供給するように形成されている。また、電解槽２０の陰極２３側には、生成したアルカリ性電解水の流れる流路が例えば配管等により形成されている。この流路は、アルカリ性水切替部５６にアルカリ性電解水を供給するように形成されている。
【００４７】
酸性水切替部５５は、電解槽２０と酸性水上方出水口５０及び酸性水下方出水口５１との間に設けられ、供給された酸性電解水をいずれか一方の出水口に供給するように切り替えることができる。例えば、図５のように、電解槽２０で生成した酸性電解水が流れる流路が分岐し、酸性水上方出水口５０と酸性水下方出水口５１とに分かれるような流路が形成されている。そして、その分岐店の下流側の酸性水上方出水口５０側と酸性水下方出水口５１側との流路それぞれにバルブ３とバルブ４とが設けられている。このバルブ３及びバルブ４を開け閉めすることで供給される酸性電解水を酸性水上方出水口５０又は酸性水下方出水口５１のいずれか一方から出水させることができる。
【００４８】
アルカリ性水切替部５６も酸性水切替部５０と同様に、電解槽２０とアルカリ性水上方出水口５２及びアルカリ性水下方出水口５３との間に設けられ、供給されたアルカリ性電解水をいずれか一方の出水口に供給するように切り替えることができる。このアルカリ性水切替部５６も、例えば、酸性水切替部５５と同様の形態とすることもできる。これにより、アルカリ性電解水をアルカリ性水上方出水口５２又はアルカリ性水下方出水口５３のいずれか一方から出水させることができる。
【００４９】
酸性水上方出水口５０は、酸性電解水の出水口が装置上方に向かって設置されている。したがって、この酸性水上方出水口５０は、供給される酸性電解水に例えばポンプなどでの圧力を加え、装置上方に向かって酸性電解水を出水する。
【００５０】
この酸性水上方出水口５０は、供給された酸性電解水を噴霧できるような形状となっていてもよい。例えば、酸性水上方出水口５０に小さい穴が複数も受けられ、この穴に向かって各電解水を圧送させることで、各電解水を噴霧することができる。また、スプレーノズルを設けてもよい。この場合、生成した電解水を装置上方に向かって噴霧することで、広範囲に電解水を出水することができ、例えば、全身の消毒や洗浄において効率的である。
【００５１】
酸性水下方出水口５１は、酸性電解水の出水口が装置下方に向かって設置されている。したがって、この酸性水下方出水口５１は、供給される酸性電解水に例えばポンプなどでの圧力を加え、装置下方に向かって酸性電解水を出水する。
【００５２】
この酸性水下方出水口５１は、供給された酸性電解水又はアルカリ性電解水を噴霧できるような形状となっていてもよい。例えば、酸性水下方出水口５１に小さい穴が複数も受けられ、この穴に向かって各電解水を圧送させることで、各電解水を噴霧することができる。また、スプレーノズルを設けてもよい。このように、生成した電解水を装置下方に向かって噴霧することで、所定の領域に均一に電解水を出水することができ、手先等の特定の箇所を効率的に消毒又は洗浄を行うことができる。
【００５３】
アルカリ性水上方出水口５２は、アルカリ性電解水の出水口が装置上方に向かって設置されている。したがって、このアルカリ性水上方出水口５２は、供給されるアルカリ性電解水に例えばポンプなどでの圧力を加え、装置上方に向かってアルカリ性電解水を出水する。このアルカリ性水上方出水口５２は、酸性水上方出水口５０と略同様である。
【００５４】
アルカリ性水下方出水口５３は、アルカリ性電解水の出水口が装置下方に向かって設置されている。したがって、このアルカリ性水下方出水口５１は、供給されるアルカリ性電解水に例えばポンプなどでの圧力を加え、装置下方に向かってアルカリ性電解水を出水する。このアルカリ性水下方出水口５３は、酸性水下上方出水口５１と略同様である。
【００５５】
実施の形態２で説明する消毒装置は、電源に電気的に接続されることで、実施の形態１と同様に原水が電解槽２０に供給され、電解によって陽極２２側に酸性電解水と陰極２３側にアルカリ性電解水とを生成する。電解槽２０の陽極２２側で生成した酸性電解水は、陽極２２側に形成された流路から、酸性水切替部５５を介して、酸性水上方出水口５０及び酸性水下方出水口５１に供給される。同様に、電解槽２０の陰極２３側で生成したアルカリ性電解水は、陰極２３側に形成された流路から、アルカリ性水切替部５６を介して、アルカリ性水上方出水口５２及びアルカリ性水下方出水口５３に供給される。そして、これら、各切替部のバルブ３及びバルブ４を開け閉めするように制御して各出水口から所要の電解水を出水させることができる。この電解水によって全身や所定箇所の消毒や洗浄を行う。
【００５６】
例えば、酸性水切替部５５のバルブ４のみを開けることで、酸性水上方出水口５０から酸性電解水を出水することができる。また、アルカリ性水切替部５６のバルブ３のみを開けることでアルカリ性水下方出水口５３からアルカリ性電解水を出水することができる。
【００５７】
このように、酸性電解水及びアルカリ性電解水それぞれ専用の出水口を設けることで、電解槽２０で生成した酸性電解水とアルカリ性電解水とを装置外に出水するまで混合されることがなく、その水素イオン濃度を保つことができる。すなわち、細菌への殺菌力や有機物への洗浄力を保持したまま酸性電解水又はアルカリ性電解水を出水することができる。
【００５８】
実施の形態２で説明した消毒装置は、これに限られるものではなく、例えば、電解槽２０と酸性水上方出水口５０、酸性水下方出水口５１、アルカリ性水上方出水口５２、アルカリ性水下方出水口５２それぞれとを直接接続するように流路を形成してもよい。この場合、酸性水切替部５５及びアルカリ性水切替部５６を備えなくてもよい。
【００５９】
［実施の形態３］
実施の形態３で説明する本発明の消毒装置は、図６のように、実施の形態２で説明した消毒装置に、酸性電解水とアルカリ性電解水とを混合する混合部６０と混合した混合水を出水する第２出水口６１を備えたものである。その他の部材については、実施の形態１及び実施の形態２と同様であるので、同一番号を付して説明を省略する。また、実施の形態３で示す消毒装置の外観形状は、支柱１０２内部に備えられる混合部６０と接続された第２出水手段として第２出水口６１が支柱１０２に備えられている。
【００６０】
混合部６０は、電解槽２０の陽極２２側及び陰極２３側と配管等によってそれぞれ接続され、生成した酸性電解水とアルカリ性電解水が供給されるように流路が形成されている。この流路の途中には、図示されないバルブ等が備えられ、酸性電解水やアルカリ性電解水の供給を制御することができる機構が備えられている。この流路は、図６のように、酸性水上方出水口５０や酸性水下方出水口５１、アルカリ性水上方出水口５２やアルカリ性水下方出水口５３への流路の途中で分岐するように設けられていてもよいが、電解槽２０の陰極２３側に直接接続されていてもよい。また、混合部６０は、供給部１０から必要な量の原水が供給されるように接続されていてもよい。
【００６１】
この混合部６０は、電解槽２０で生成した酸性電解水とアルカリ性電解水と混合して、アルカリ性電解水の水素イオン濃度を調製することができる。そのため、この混合部６０には、水素イオン濃度を測定するセンサー等が備えられていてもよい。
【００６２】
混合部６０による酸性電解水とアルカリ性電解水との混合によって生成した混合水は、第２出水口６１に供給される。この第２出水口から混合水が出水する。この第２出水口の形状は特に限定するものではなく、通常の蛇口や実施の形態１及び実施の形態２で説明した各出水口のように混合水を噴霧させるようなものであってもよい。
【００６３】
これにより、消毒や洗浄を行うものの性質、殺菌する菌や洗浄する有機物の種類等によって、最適な水素イオン濃度を調節して消毒や洗浄を行うことができる。また、水素イオン濃度（ｐＨ）が９〜１０程度のアルカリ性電解水（いわゆるアルカリイオン水）は、飲料水として利用することができる。したがって、本発明の消毒装置は、飲料水も生成することができる。
【００６４】
実施の形態１乃至３で説明した消毒装置の電解槽２０は、原水を電解して酸性電解水及びアルカリ性電解水を生成するものであればどのようなものであってよい。例えば、中空またその電解槽２０の構造に応じて原水、酸性電解水、アルカリ性電解水の流路を適宜変更することができる。
【００６５】
実施の形態１乃至３で説明した消毒装置は、酸性電解水を貯蔵する酸性水貯蔵部とアルカリ性電解水を貯蔵するアルカリ性水貯蔵部とを有していてもよい。この酸性水貯蔵部は、実施の形態１において、上方出水口切替部３５及び下方出水口切替部４５の上流側に設けられ、貯蔵される酸性電解水を上方出水口切替部３５や下方出水口切替部４５を介して上方出水口３０や下方出水口４０に供給することができる。
【００６６】
また、酸性水貯蔵部は、実施の形態２又は実施の形態３において、酸性水上方出水口５０又は酸性水下方出水口５１の上流側に設けられ、貯蔵されている酸性電解水を酸性水上方出水口５０や酸性水下方出水口５１に供給することができる。この酸性水貯蔵部に酸性水上方出水口５０及び酸性水下方出水口５１への流路を形成し、その流路にバルブを設けることで、酸性水貯蔵部を酸性水切替部５５として利用することもできる。言い換えると、酸性水切替部５５に酸性電解水を所定量貯蔵できる空間を備えることで、酸性水切替部５５を酸性水貯蔵部とすることもできる。
【００６７】
同様に、アルカリ性水貯蔵部は、実施の形態１において、上方出水口切替部３５及び下方出水口切替部４５の上流側に設けられ、貯蔵されるアルカリ性電解水を上方出水口切替部３５や下方出水口切替部４５を介して上方出水口３０や下方出水口４０に供給することができる。
【００６８】
また、アルカリ性水貯蔵部は、実施の形態２又は実施の形態３において、アルカリ性水上方出水口５２又はアルカリ性水下方出水口５３の上流側に設けられ、貯蔵されているアルカリ性電解水をアルカリ性水上方出水口５２やアルカリ性水下方出水口５３に供給することができる。このアルカリ性水貯蔵部にアルカリ性水上方出水口５２及びアルカリ性水下方出水口５３への流路を形成し、その流路にバルブを設けることで、アルカリ性水貯蔵部をアルカリ酸性水切替部５６として利用することもできる。言い換えると、アルカリ性水切替部５６にアルカリ性電解水を所定量貯蔵できる空間を備えることで、アルカリ性水切替部５６をアルカリ性水貯蔵部とすることもできる。
【００６９】
このように貯蔵部を備えることで、電解槽２０での電解反応による酸性電解水及びアルカリ性電解水の生成を待つことが無く、直に酸性電解水又はアルカリ性電解水を使用することができる。また、このような貯蔵部にはポンプ等を備え付けていてもよい。このようなポンプによって、出水口に供給する電解水の圧力を高めることができ、出水口からの噴霧に最適な圧力を常に維持できる。
【００７０】
本発明は、電源コードを介して電源と接続する態様であるが、消毒装置との電気的な接続はこれに限定されるものではない。例えば、太陽光や風力によって発電した電力を使用するものであってもよく、これらの併用であってもよい。これにより、設置場所を限定することなく、また、省エネルギーである。
【図面の簡単な説明】
【００７１】
【図１】本発明の消毒装置の一例の外観を示す図である。
【図２】本発明の消毒装置の内部機構を示すブロック図である。
【図３】本発明の消毒装置の切替部の機構を示す図である。
【図４】本発明の消毒装置の内部機構を示すブロック図である。
【図５】本発明の消毒装置の切替部の機構を示す図である。
【図６】本発明の消毒装置の内部機構を示すブロック図である。
【符号の説明】
【００７２】
１０  供給部
１５  電解質添加部
２０  電解槽
２１  隔膜
２２  陽極
２３  陰極
３０  上方出水口
３５  上方出水口切替部
４０  下方出水口
４５  下方出水口切替部
【図１】
2007014888.tif 000003
【図２】
2007014888.tif 000004
【図３】
2007014888.tif 000005
【図４】
2007014888.tif 000006
【図５】
2007014888.tif 000007
【図６】
2007014888.tif 000008